(57)【要約】【課題】  コネクタを介して回路基板に接続されるケーブルの不正交換を防止する。【解決手段】  遊技機の一例であるスロットマシンに搭載されたサブ制御基板２５を収容する基板ケース４０内には、サブ制御基板２５に実装された基板側コネクタ２６に接続されるケーブル側コネクタ６０の抜脱を規制するコネクタ抜脱防止装置７０が装着される。この抜脱防止装置は、ケース内部を延びて一端側が右側の孔部５５から延出し、他端側が左側の孔部５４から延出する支持本体部７１と、この両端部に設けられてケース本体部４１の後面側へ延びてケース本体部４１に係止可能な係止部７３，７４とを有してなる。係止部７３は、基板側コネクタ２６に接続されたケーブル側コネクタ６０の抜脱方向側の側面６０ａの両端部の近傍位置に延びるとともに、ケーブル側コネクタ６０に繋がるハーネスＨを内側に通す一対の移動規制部材７３ａを有してなる。【選択図】  図３
2006181031.tif 000002
【特許請求の範囲】
【請求項１】
遊技機に取り付けられるケース本体部にケース蓋部を装着して形成されるケース内部に基板側コネクタを端部に実装した回路基板を収容し、前記基板側コネクタに対向する一方側の前記ケース蓋部の周壁部と他方側の前記ケース蓋部の周壁部に切り欠き部が形成された基板ケースを備えた遊技機のコネクタ抜脱防止装置であって、
前記ケース内部を延びて、一端側が一方側の切り欠き部から延出し、他端側が他方側の切り欠き部から延出する支持本体部と、
該支持本体部の両端部に設けられて前記ケース本体部の後面側へ延びて前記ケース本体部に係止可能な一対の係止部とを有し、
該一対の係止部のうちの前記基板側コネクタが配設された側の係止部に、前記基板側コネクタに接続されたケーブル側コネクタの抜脱方向側の側面の両端部の近傍位置に延びて該ケーブル側コネクタの抜脱を規制するとともに、前記ケーブル側コネクタに繋がるケーブルを内側に通す一対の移動規制部材を設けることを特徴とする遊技機のコネクタ抜脱防止装置。
【請求項２】
前記係止部は、前記切り欠き部と前記ケース本体部の周壁部の先端部とによって囲まれる孔部の前後開口幅より大きな寸法を有して前記ケース本体部の後面側へ延びることを特徴とする請求項１に記載の遊技機のコネクタ抜脱防止装置。
【請求項３】
前記支持本体部及び前記係止部が一体成形されて、前記ケース本体部に着脱可能であることを特徴とする請求項１又は２に記載の遊技機のコネクタ抜脱防止装置。
【発明の詳細な説明】
【技術分野】
【０００１】
本発明は、遊技機のコネクタ抜脱防止装置に関し、さらに詳細には、遊技機内に設けられた基板ケース内の回路基板に接続されるコネクタの抜脱を防止する遊技機のコネクタ抜脱防止装置に関する。
【背景技術】
【０００２】
スロットルマシンやパチンコ等の遊技機では、遊技内容を書き込んだＲＯＭが回路基板に搭載されている。このような回路基板は、ＲＯＭが不正に交換されないように、遊技機に取り付けられるケース本体部とケース蓋部との間に挟まれるようにして基板ケース内に収容されており、この回路基板を収容した基板ケースは、封鎖手段によってケース蓋部とケース本体部とが分離できないようにされる(特許文献1参照)。
【０００３】
封鎖手段は、ケース本体部（文献では本体部材）に設けられた本体側係合部と、ケース蓋部（文献では蓋部材）に設けられて本体側係合部と係合可能な蓋側係合部とを有してなり、ケース本体部にケース蓋部を分離不能に装着するには、ケース本体部の突起部をケース蓋部の係合孔に挿通して係合させ、係合孔から突出する突起部を加熱変形させて頭部を形成する。これによって、突起部の係合孔からの抜脱が規制され、その結果、係合孔を形成するボスを支持する切断部を切断したり、頭部を破断しない限り、ケース蓋部をケース本体部から分離することはできない。
【０００４】
【特許文献１】特開２００２−２１９２５７号公報
【発明の開示】
【発明が解決しようとする課題】
【０００５】
このように封鎖手段によってケース蓋部とケース本体部とが分離できないようにしても、例えば、回路基板に設けられた基板側コネクタにハーネス側コネクタが何ら規制無く抜脱可能であるとすると、そのコネクタを抜いて正規以外の部品が接続されたハーネスと交換される虞がある。そして、このような不正なハーネスの交換が行われると、遊技機の出球率が正規の値と異なる値となって、公正な遊技の提供ができなくなるという不都合が発生する。
【０００６】
そこで、ハーネスを、コネクタを介さずに直接に回路基板に半田付け等して接続すれば、ハーネスの不正交換を高い抑止力を持って防止することができる。しかしながら、ハーネスを回路基板に直接に半田付け等する作業は煩わしい。このため、コネクタを介してハーネスを回路基板に接続する方法を取りながら、不正なハーネスの交換を防止することが可能なコネクタ抜脱防止装置が望まれていた。
【０００７】
本発明は、このような要望に応えるためになされたものであり、コネクタを介して回路基板に接続されるケーブルの不正交換を防止することができる遊技機のコネクタ抜脱防止装置を提供することを目的とする。
【課題を解決するための手段】
【０００８】
このような課題を解決するため、本発明は、遊技機（例えば、実施形態におけるスロットマシン１）に取り付けられるケース本体部にケース蓋部を装着して形成されるケース内部に基板側コネクタを端部に実装した回路基板（例えば、実施形態におけるサブ制御基板２５）を収容し、基板側コネクタに対向する一方側のケース蓋部の周壁部と他方側のケース蓋部の周壁部に切り欠き部が形成された基板ケースを備えた遊技機のコネクタ抜脱防止装置であって、ケース内部を延びて、一端側が一方側の切り欠き部から延出し、他端側が他方側の切り欠き部から延出する支持本体部と、該支持本体部の両端部に設けられてケース本体部の後面側へ延びてケース本体部に係止可能な一対の係止部とを有し、該一対の係止部のうちの基板側コネクタが配設された側の係止部に、基板側コネクタに接続されたケーブル側コネクタの抜脱方向側の側面の両端部の近傍位置に延びて該ケーブル側コネクタの抜脱を規制するとともに、ケーブル側コネクタに繋がるケーブル（例えば、実施形態におけるハーネスＨ）を内側に通す一対の移動規制部材を設けることを特徴とする。
【０００９】
この発明によれば、コネクタ抜脱防止装置がケース内部を延びる支持本体部とこの両端部に設けられた係止部とを有して構成され、基板側コネクタが配設された側の係止部に一対の移動規制部材を設けることで、基板側コネクタにケーブル側コネクタを接続し、一対の移動規制部材をケーブル側コネクタの抜脱方向側の側面の両端部の近傍位置に配置するとともに、一対の移動規制部材間にケーブルを通し、一対の係止部をケース本体部に係止すると、ケーブル側コネクタを抜脱方向側に引き抜こうとしても、一対の移動規制部材がケーブル側コネクタの抜脱方向側への移動を規制するので、ケーブル側コネクタを引き抜くことはできない。また、この状態でケース本体部にケース蓋部を取り外しできないように装着すると、切り欠き部から外側へ延出する支持本体部の端部に繋がる係止部がケース本体部の後面側へ延びているので、コネクタ抜脱防止装置を基板ケースから脱着するも難しい。このため、ケース蓋部をケース本体部から取り外さない限り、コネクタ抜脱防止装置をケース本体部から脱着することはできず、その結果として高い抑止力を有してケーブル側コネクタに繋がるケーブルの不正交換を防止することができる。
【００１０】
また本発明は、係止部が、切り欠き部とケース本体部の周壁部の先端部とによって囲まれる孔部の前後開口幅より大きな寸法を有してケース本体部の後面側へ延びることを特徴とする。
【００１１】
この発明によれば、係止部のケース本体部後面側へ延びる長さを孔部の前後開口幅より大きくすることによって、係止部が孔部を通ってコネクタ抜脱防止装置が基板ケースから取り外される事態を防止することができ、より高い抑止力を有してケーブル側コネクタに繋がるケーブルの不正交換を防止することができる。
【００１２】
また本発明は、支持本体部及び係止部が一体成形されて、ケース本体部に着脱可能であることを特徴とする。
【００１３】
この発明によれば、支持本体部及び係止部を一体成形して、ケース本体部に着脱可能にすることによって、コネクタ抜脱防止装置のケース本体部への着脱作業を容易にすることができるとともに、ケース本体部に搭載された回路基板に実装された基板側コネクタの位置が変更されても、基板側コネクタの位置に応じてコネクタ抜脱防止装置をケース本体部に装着することができる。このため、基板ケースを遊技機の共通部品として使用することができ、遊技機の製造コストの増加を防止することができる。
【発明の効果】
【００１４】
本発明によれば、コネクタ抜脱防止装置をケース内部を延びる支持本体部とこの両端部に設けられた係止部とを有して構成し、基板側コネクタが配設された側の係止部に一対の移動規制部材を設けることにより、コネクタを介して基板ケース内に設けられた回路基板に接続されるケーブルの不正交換を防止することができる。
【発明を実施するための最良の形態】
【００１５】
以下、本発明に係わる遊技機のコネクタ抜脱防止装置の好ましい実施の形態を図１から図５に基づいて説明する。本実施の形態は、コネクタ抜脱防止装置を、遊技機の一例であるスロットマシンに適用した場合について説明する。
【００１６】
スロットマシン１は、図１（正面図）及び図２（斜視図）に示すように、遊技者に面するフロントドア１０と、フロントドア１０を開閉自在に取り付けた筐体３０とを有して構成される。フロントドア１０は、矩形状の枠組みに機械的に強固な硬質プラスチック製のパネル部１１を取り付けて構成され、パネル部１１の上部には、演出用の上部ランプ１１ａ、スピーカを備えた放音部１１ｂ，１１ｃ、液晶ディスプレイ等で形成された演出表示装置１１ｄが配設されている。パネル部１１の中間部には、透明な硬質プラスチック板で形成された略長方形状の透過窓ＷＤと演出用ランプ１１ｅ，１１ｆが設けられ、筐体３０内に設けられたリール装置３１のリールＲ１、Ｒ２、Ｒ３を、遊技者が透過窓ＷＤを介して見ることが可能となっている。
【００１７】
パネル部１１の中間部の下側には、遊技者が操作するための操作パネル部１６が設けられ、この操作パネル部１６には各種のボタン等（メダル投入部ＭＤ、ベットボタンＢ１，Ｂ２，Ｂ３、スタートレバーＳＴ、ストップボタンＳＰ１，ＳＰ２，ＳＰ３、精算ボタンＭＲ）が設けられている。
【００１８】
操作パネル部１６の右端には、フロントドア１０を開錠するための鍵穴ＫＹが設けられ、鍵穴ＫＹに正規の鍵を挿入して開錠操作すると、フロントドア１０を筐体３０から開くことが可能となっている。
【００１９】
パネル部１１の下部には、本スロットマシン１のゲーム内容を紹介等するための絵（図示略）が描かれるとともに、遊技メダルを払い出すための排出口１１ｇ、メダル受皿１１ｈ、放音部１１ｉが設けられている。
【００２０】
フロントドア１０の裏面側の上部には、前述した放音部１１ｂ，１１ｃのスピーカＳＲ，ＳＬが設けられ、スピーカＳＲ，ＳＬの間には前述した演出表示装置１１ｄが設けられている。演出表示装置１１ｄの下方には、透過窓ＷＤを形成する略長方形状の枠体１７が取り付けられており、この枠体１７の下方には、メダル投入部ＭＤより投入された投入物が正規の遊技メダルか否かを判別して振り分けるセレクト機構Ｇ０と、セレクト機構Ｇ０で振り分けられた遊技メダルを筐体３０側に設けられたホッパ装置ＨＰへ案内するガイド部材Ｇ１と、セレクト機構Ｇ０で振り分けられた異物を排出口１１ｇへ案内するガイド部材Ｇ２と、ホッパ装置ＨＰから出力される払い出し用のメダルを排出口１１ｇへ案内するガイド部材Ｇ３とが設けられている。排出口１１ｇの近傍には、前述した放音部１１ｉを構成するスピーカＳＷが取り付けられている。
【００２１】
枠体１７とセレクト機構Ｇ０との間には、長尺状の電気回路基板で形成された中央表示基板１９が取り付けられ、この中央表示基板１９には、前述した操作パネル部１６に設けられているベットボタンＢ１，Ｂ２，Ｂ３と、スタートレバーＳＴと、ストップボタンＳＰ１，ＳＰ２，ＳＰ３等が電気的に配線接続されている。これらのボタンＢ１，Ｂ２，Ｂ３，ＳＴ，ＳＰ１，ＳＰ２，ＳＰ３の出力信号はハーネスを介して筐体３０に設けられた主制御基板３３に転送される。
【００２２】
筐体３０内には、主電源装置ＰＷＵと、ホッパ装置ＨＰから溢れた遊技メダルを収容する補助貯留部ＳＨＰが設けられる他、前述したリール装置３１が設けられている。主電源装置ＰＷＵの側面には電源装置基板３４が取り付けられ、リール装置３１の上端には回胴装置基板３５が取り付けられ、リール装置３１の上方には前述した主制御基板３３が取り付けられている。主制御基板３３は、半導体メモリ（ＲＯＭ）とマイクロプロセッサ（ＭＰＵ）等が搭載されており、このマイクロプロセッサＭＰＵが、半導体メモリＲＯＭに予め記憶されているシステムプログラムとスロットマシンゲーム用のプログラムを実行し、電源装置基板３４、回胴装置基板３５及び後述するサブ制御基板２５に所定の指令を行って夫々に分散制御を行わせることにより、本スロットマシン１全体を集中制御する。
【００２３】
演出表示装置１１ｄの裏面側には、電気回路基板で形成されたサブ制御基板２５が設けられている。このサブ制御基板２５は、演出表示装置１１ｄによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板２５は、主制御基板３３からの制御信号に従って、上部ランプ１１ａ、演出用ランプ１１ｅ，１１ｆとスピーカＳＲ、ＳＬ、ＳＷを駆動して遊技者の視覚及び聴覚に訴える演出を行うと共に、演出表示装置１１ｄを制御して遊技内容に応じた演出表示を行わせる。
【００２４】
このようなサブ制御基板２５は、不正行為を防止するための基板ケース４０内に収容されてねじ止め固定されており、この基板ケース４０ごと一体として演出表示装置１１ｄの裏面側に着脱可能に取り付けられている。図では、サブ制御基板２５に実装されたコネクタ及びこのコネクタに接続されたハーネス等の記載を省略して表示している。
【００２５】
基板ケース４０は、図３（斜視図）及び図４（斜視図）に示すように、前述した演出表示装置１１ｄの裏面側に取り付けられるケース本体部４１と、このケース本体部４１に装着されるケース蓋部５０とを備えてなる。ケース本体部４１は、サブ制御基板２５を搭載して固定する長方形状のベース部４２に、基板の外周を囲むように立設された本体側周壁部４３を形成し、前側に開口部４４が開口する略矩形箱型状に形成されている。一方、ケース蓋部５０は、ケース本体部４１の開口部４４を覆うようにして配置される天板部５１に、この外周を囲むように立設された蓋側周壁部５２を形成して、略矩形箱型状に形成されており、ケース本体部４１に装着された状態で内部に基板を収容可能な空間部を形成する。
【００２６】
ケース蓋部５０の天板部５１の角部には、カシメ部材（図示せず）を挿着可能な挿着孔５１ａが形成されており、これらの挿着孔５１ａにカシメ部材を挿入して回動すると、カシメ部材によってケース蓋部５０とケース本体部４１との分離ができなくなる。つまり、カシメ部材によってケース蓋部５０がケース本体部４１に固定されると、カシメ部材を破断等しない限り、ケース蓋部５０をケース本体部４１から分離することはできない。
【００２７】
ケース蓋部５０の左右両側に配設された蓋側周壁部５２のそれぞれには、切り欠き部５３，５４が形成されている。これらの切り欠き部５３，５４は、ケース蓋部５０をケース本体部４１に装着すると、本体側周壁部４３の先端部と相まって孔部５５，５６を形成する。右側に形成された孔部５５は、ケース内部に収容されたサブ制御基板２５の右側端部に実装された基板側コネクタ２６の先端部を露出可能に上下方向に延びて開口する。この孔部５５の前後開口幅の寸法Ａは、基板側コネクタ２６の高さ寸法Ｂに若干の隙間寸法を加えた大きさを有する。
【００２８】
基板側コネクタ２６にはハーネスＨが繋がるケーブル側コネクタ６０が着脱自在に接続されている。このようにケーブル側コネクタ６０が基板側コネクタ２６に何ら規制無く脱着自在であるとすると、このコネクタを抜いて正規以外の部品（例えば、ＲＯＭ）が接続された他のハーネスと交換される虞がある。そこで、基板ケース４０には、基板側コネクタ２６に接続されたケーブル側コネクタ６０の抜脱を規制するコネクタ抜脱防止装置７０が取り付けられている。
【００２９】
このコネクタ抜脱防止装置７０は、合成樹脂材料で一体成形されて弾性変形が可能であり、ケース内部を延びて、一端側が右側の切り欠き部５３から延出し、他端側が左側の切り欠き部５４から延出する支持本体部７１と、この支持本体部７１の両端部に設けられてケース本体部４１の後面側へ延びてケース本体部４１に係止可能な一対の係止部７３，７４とを有してなる。コネクタ抜脱防止装置７０は、支持本体部７１の右側端部が基板側コネクタ２６を覆うように配置されてケース本体部４１に装着される。
【００３０】
支持本体部７１は、直線状に延びる板状部材であり、支持本体部７１の厚さは前述した切り欠き部５３と基板側コネクタ２６との間に形成される隙間より小さい寸法を有している。このため、基板側コネクタ２６を覆うようにして支持本体部７１を配置した状態でケース蓋部５０をケース本体部４１に装着することができる。なお、支持本体部７１はサブ制御基板２５に実装された他の電気部品（図示せず）に応じて凹凸状、湾曲状等に形成されてもよい。
【００３１】
係止部７３，７４は、図５（ａ）（斜視図）及び図５（ｂ）（斜視図）に示すように、支持本体部７１の両端部のそれぞれから支持本体部７１に対して略直交する方向に延びる一対の移動規制部材７３ａ，７４ａを有し、これらの長さＬは図３に示す基板側コネクタ２６の天板部５１側の側面２６ａとケース本体部４１の後面との距離より大きな寸法を有するとともに、前述した右側の孔部５５の前後開口幅Ａより大きい。移動規制部材７３ａ，７４ａの先端部には内側へ突出する突起部７３ｂ，７４ｂが形成され、これらの突起部７３ｂ，７４ｂは図３に示すケース本体部４１の後面の周縁部と係止して、コネクタ抜脱防止装置７０をケース本体部４１に取り付ける。このように係止部７３，７４を構成することで、支持本体部７１の端部が基板側コネクタ２６を覆った状態でコネクタ抜脱防止装置７０をケース本体部４１に装着することができ、また係止部７３，７４が孔部５５、５６を通されてコネクタ抜脱防止装置７０が基板ケース２５から取り外される事態を防止することができる。
【００３２】
一対の移動規制部材７３ａは、図３に示すように、ケーブル側コネクタ６０に繋がるハーネスＨの幅より大きな寸法を有して対向して配置されるとともに、ケーブル側コネクタ６０の抜脱方向側の側面６０ａの両端部の近傍位置を通るように配置されている。このため、孔部５５から延出する支持本体部７１の先端部はケーブル側コネクタ６０の側面６０ａの外側の近傍位置に延びる。その結果、基板側コネクタ２６にケーブル側コネクタ６０が装着され、支持本体部７１の端部が基板側コネクタ２６を覆うようにしてコネクタ抜脱防止装置７０がケース本体部４１に装着されると、一対の移動規制部材７３ａはケーブル側コネクタ６０の抜脱方向側の側面６０ａの両端部の近傍位置に延びて、ケーブル側コネクタ６０の抜脱を規制することができる。また、このコネクタに繋がるハーネスＨは一対の移動規制部材７３ａ間を延びるので、コネクタ抜脱防止装置７０を横方向にずらそうとすると、突起部７３ｂの係止状態を解除する方向に移動規制部材７３ａを変形させない限り、一対の移動規制部材７３ａのいずれかがハーネスＨに引っ掛かり、コネクタ抜脱防止装置７０の横移動を規制する。
【００３３】
このようにコネクタ抜脱防止装置７０を構成することで、大きな抑止力を有して基板側コネクタ２６からケーブル側コネクタ６０を抜脱して不正なハーネスと交換する不正行為を防止することができ、これにより公正な遊技環境を提供することができる。また、コネクタ抜脱防止装置７０は弾性変形可能な材料で一体成形されてケース本体部４１に着脱可能であるので、コネクタ抜脱防止装置７０のケース本体部４１への着脱作業が容易であるとともに、ケース本体部４１に搭載されたサブ制御基板２５に実装された基板側コネクタ２６の位置が変更された場合でも、その基板側コネクタ２６の位置に応じてコネクタ抜脱防止装置７０をケース本体部４１に装着することができる。このため、基板ケース２５をスロットマシン（遊技機）の共通部品として使用することができ、遊技機の製造コストの増加を防止することができる。またコネクタ抜脱防止装置７０は、ケース本体部４１に着脱可能であるとともに、再使用が可能である。このため、取り外したコネクタ抜脱防止装置７０を、同じケース本体部４１に装着したり他の基板ケース４０のケース本体部４１に装着して、再使用することができる。さらに、ケース蓋部５０はカシメ部材を破断等しない限りケース本体部４１から分離できないので、ケース蓋部５０がカシメ部材を介してケース本体部４１に取り付けられた状態にあるときには、コネクタ抜脱防止装置７０を基板ケース４０から取り外すことができない。このため、不正なハーネスと交換する不正行為をより高い抑止力を有して防止することができる。
【００３４】
なお、ケース蓋部５０とケース本体部４１とは不正改造を防止する観点から透明な材料で形成されることが好ましいが、いわゆる色つきの透明色にしてもよい。このようにケース蓋部５０及びケース本体部４１を透明な材料で形成することで、コネクタ抜脱防止装置７０が基板ケース２５に装着されていることが容易に確認できるので、ケーブル側コネクタ６０の脱着が困難であることがわかり、ハーネスＨの不正交換行為に対して高い抑止力を発揮することができる。
【００３５】
また前述した実施例では一対の係止部７３，７４のそれぞれに移動規制部材７３ａ、７４ａが設けられた構成を示したが、一方側の係止部のみに移動規制部材を設けてもよい。また前述した実施例では、サブ制御基板２５を収容した基板ケース４０について説明したが、主制御基板３３を収容する基板ケース（図示せず）についても前述した基板ケース４０と同様に、コネクタ抜脱防止装置７０を、主制御基板３３を収容する基板ケースのケース本体部（図示せず）に着脱自在に装着してもよい。このようにすることで、主制御基板３３に繋がるハーネスの不正交換を高い抑止力で防止することができる。
【００３６】
さらに前述した実施例では、スロットマシン１を例にしたが、パチンコやゲームセンタで用いられているゲーム機などを対象にしてもよい。
【図面の簡単な説明】
【００３７】
【図１】本発明の一実施の形態に係わるコネクタ抜脱防止装置を搭載したスロットマシンの正面図を示す。
【図２】このスロットマシンのフロントドアを開けた状態におけるフロントドア及び筐体の内部構造図を示す。
【図３】コネクタ抜脱防止装置を装着した基板ケースの斜視図を示す。
【図４】このコネクタ抜脱防止装置が装着されたケース本体部の斜視図を示す。
【図５】コネクタ抜脱防止装置の斜視図を示す。
【符号の説明】
【００３８】
１  スロットマシン（遊技機）
２５  サブ制御基板（回路基板）
２６  基板側コネクタ
４０  基板ケース
４１  ケース本体部
５０  ケース蓋部
５２  蓋側周壁部（周壁部）
５３，５４  切り欠き部
５５  孔部
６０  ケーブル側コネクタ
６０ａ  側面
７０  コネクタ抜脱防止装置
７１  支持本体部
７３，７４  係止部
７３ａ，７４ａ  移動規制部材
Ｈ  ハーネス（ケーブル）
【図１】
2006181031.tif 000003
【図２】
2006181031.tif 000004
【図３】
2006181031.tif 000005
【図４】
2006181031.tif 000006
【図５】
2006181031.tif 000007